(57)【要約】      （修正有）【課題】美容、マッサージ、疼痛緩和などを目的として人体に微弱微細電流を流れるようにする電圧印加装置を提供する。【解決手段】入力されている交流電圧を降圧可能で、降圧する交流電圧を出力するために第１出力端子２１と第２出力端子２２を具備する電圧発生部２；第１出力端子２１に電気的に接続された第１接続手段３：第１接続手段３の先端部に電気的に接続された第１電極４；第２出力端子２２に電気的に接続された第２連結手段５；第２連結手段５の先端部に電気的に接続された第２電極５５５；第２電極５５５に電気的に接続された第３連結手段６１：第３連結手段６１の先端部に電気的に接続される第３電極６１６；第２電極５５５に電気的に接続された第４連結手段６２；第４連結手段６２の先端部に電気的に接続される第４電極６２６；を含み、第３電極６１６や第４電極６２６は第２電極５５５を基準に並列状態で構成される。【選択図】図１
0003202779.tif 000002
【実用新案登録請求の範囲】
【請求項１】
入力される交流電圧を強圧可能で、強圧する交流電圧を出力するために第１出力端子と第２出力端子を具備する電圧発生部；
上記第１出力端子に電気的に接続された第１接続手段；
上記第１接続手段の先端部に電気的に接続された第１電極；
上記第２出力端子に電気的に接続された第２連結手段；
上記第２連結手段の先端部に電気的に接続された第２電極；
上記第２電極に電気的に接続された第３連結手段；や
上記第３連結手段の先端部に電気的に接続され、
上記第２電極と職劣接続された第３電極；を含むことを特徴とする
電圧印加装置。
【請求項２】
第１項において、上記第３電極と直列的に接続される電極；をもっと包含することを特徴とする電圧印加装置。
【請求項３】
入力される交流電圧を強圧可能で、強圧する交流電圧を出力するために第１出力端子と第２出力端子を具備する電圧発生部；
上記第１出力端子に電気的に接続された第１接続手段；
上記第１接続手段の先端部に電気的に接続された第１電極；
上記第２出力端子に電気的に接続された第２連結手段；
上記第２連結手段の先端部に電気的に接続された第２電極；
上記第２電極に電気的に接続された第３連結手段；
上記第３連結手段の先端部に電気的に接続される第３電極；
上記第２電極に電気的に接続された第４連結手段；や
上記第４連結手段の先端部に電気的に接続される第４電極；を
含み、上記第３電極や上記第４電極は上記第２電極を基準に並列
状態で構成されることを特徴とする電圧印加装置。
【請求項４】
第３項において、上記第３電極や上記第４電極は、それぞれに直列的に接続されるそれぞれの電極；をもっと含むことを特徴とする電圧印加装置。
【請求項５】
第１項、２項又は４項において、電極が直列に構成されている場合、電圧発生部を基準に後段に接続される電極であるほど電気伝導度がさらに大きくすることを特徴とする電圧印加装置。
【請求項６】
第５項において、電極が直列に構成されている場合、上記第３電極に直列に接続される電極の電気伝導度が上記第３電極の伝導度よりさらに大きくすることを特銅鑼とする電圧印加装置。
【考案の詳細な説明】
【技術分野】
【０００１】本考案は人体に電圧を印加する装置に関するもので、さらに詳細いうことには美容、マッサージ、疼痛緩和などを目的として人体に微弱微細電流（１０〜１０，０００ｕＡ）を流れるようにするために適合するように使用可能な電圧を印加する装置に関することです。
【背景技術】
【０００２】従来、美容、マッサージなどの分野では、人体に流れる微弱電流を得るために電圧印加装置が使用されている。
【先行技術文献】
【特許文献】
【０００３】例を挙げると、日本、実用新案登録第３１１９７８２号には、エネルギーウェーブ発生器とこのエネルギーウェーブ発生器に電線によって連結された２つの電気電極を持ってる健康美容機器に電圧の装置が使用されている。上記文献には、片方の電気電極にマッサージを受ける人（被施術者）の足部を裸足の状態で置くのと同時に、他方の電気電極を美容師またはマッサージ師（施術者）が足で踏んで、マッサージを受ける人に施術者の両手が接触することにより、マッサージの効能が提供される点が記載されている。
【特許文献１】
【特許文献２】
【非特許文献】
【０００４】しかし、上記のような従来技術は次のような問題があった。
【特許文献１】
【特許文献２】
【非特許文献】
【０００５】  従来の電圧印加装置は美容師やマッサージ師などの施術者によって踏まれる電極が一つしかなかった。したがって、施術者による施術を受ける被施術者に対して、施術者が一箇所に位置して施術せざるを得なかった。だから、施術者の姿勢が不安定になりやすく、足の裏による電流の調整がしにくい。
【特許文献１】
【特許文献２】
【非特許文献】
【０００６】また、被施術者の各施術部位に対して施術者が両手を使用して施術するには制約が多く、施術の自由度が低い。
【非特許文献１】
【非特許文献２】
【考案の概要】
【考案が解決しようとする課題】
【０００７】本考案は施術者の手を通じて被施術者に微弱電流を流れるようにする
ためて利用された場合に、施術者が足の裏によって電流の調整しやすく、施術の自由度を向上させることができる電極の配列を提案する。【０００８】また、本考案はどんな位置に配置された電極を施術者に使用された場合でも、同じ施術者によって、同じ条件で電極が踏まれる限り、被施術者に対して実質的に同じように電流を流れることが可能な人体に電圧を流す装置を提供しようとする。
【課題を解決するための手段】
【０００９】本考案は人体に電圧を印加装置は、入力される交流電圧を強圧可能で、強圧する交流電圧を出力するための第１出力端子と第２出発リョクダンジャを具備する電圧発生部；上記第１出力端子に電気的に接続された第１連結手段：上記第１接続手段の先端部に電気的に接続された第１電極；上記私２出力端子に電気的に接続された第２連結手段：上記第２連結手段の先端部に電気的に接続された第２電極；上記第２電極に電気的に接続された第３連結手段：上記第３連結手段の先端部に電気的に接続される第３電極；上記第２電極に電気的に接続された第４連結手段；および上記第４連結手段の先端部に電気的に接続される第４電極；を含み、上記第３電極や上記第４電極は上記第２電極を基準に並列状態で構成される。【００１０】また、上記第３電極や上記第４電極は、それぞれに直列的に接続なるそれぞれの電極；をもっと含む。【００１１】  また、電極が直列に構成されている場合、上記第３電極に直列に接続される後段電極の電気伝導度が上記第３電極の伝導度よりもっと大きくするようにしている。
【考案の効果】
【００１２】上記電圧認可装置によると、被施術者の体の一部に第１電極を接触させるとともに、複数の第２電極の一つを裸足の状態の施術者が足の裏で踏むことにより、電圧発生部によって出力された交流電圧に基づく電流を、施術者の手を通じて被施術者の施術部位に流れるようにすることができる。【００１３】上記電圧印加装置によると、ベッドに横になった被施術者の周りを囲むように構成された複数の第２電極を床などに配置することが可能となる。
これによって、施術者は被施術者の各施術部位に合わせて複数の第２電極間を移動しながら、施術することが可能となる。その結果、施術者は施術時に無理な姿勢で施術部位に手をつける必要がなくなる。したがって、施術者は安定した姿勢で施術することが可能となり、安定した姿勢でも第２電極の踏み方を変えることが可能になるために第２電極に接地させる足の裏の接地面積や第２電極を足に付く時の重量などを細かく調整することが可能となる。だから、上記電圧印加装置によると、施術者が足によって電流の調整をしやすく、施術の自由度を向上させるができる。【００１４】さらに、上記電圧印加装置によると、複数の電極があるそれぞれの第２電極のうち、どの第２電極が施術者によって踏みにじられた場合でも、同じ施術者によって同じ条件で第２電極が踏まれる限り、被施術者について実質的に同じように電流を流すことができる。だから、施術者は各第２電極が配置されるそれぞれの場所において、各手術部位の間でムラが少ない施術の遂行が可能になる。
【図面の簡単な説明】
【００１５】
【図１】図１ａ／１ｂは、本考案の電圧認可装置の概略の構成を示すブロック道を意味し、
【図２】図２は、上記道１ａ／１ｂの電圧認可装置での電圧発生部の概略の構成を示すブロックもで、
【図３】図３は、上記道２での変調回路の詳細構成を示す回路図で、
【図４】図４は上記道１ａ／１ｂの電圧認可装置の使用形態の一つの例を示しては図面であり、
【図５】図５は、上記道１ａ／１ｂの電圧認可装置の使用形態の一つの例を示しては他の図面。
【考案を実施するための形態】
【００１６】以下、本考案の一部実施例を例示的な図面を通じて詳細に説明する。
各図面の構成要素に参照符号を付加することにおいて、同一の構成要素については、たとえ他の図面上に表示されても可能な限り同一の符号又は類似した符号を持つようにしていることに留意しなければならない。
また、本考案の実施例を説明することにおいて、関連する共知構成または機能に対する具体的な説明が本考案の実施例に対する理解を妨害すると判断される場合には、その詳細な説明は省略する。
【００１７】また、どのような構成要素が他の構成要素に″連結″、″結合″または″接続″になると記載された場合、その構成要素はその他の構成要素に直接的に繋がったり、接続されるが、各構成要素の間に、他の構成要素が″連結″、″結合″または″接続″になる可能性もあると理解されなければならない。
【実施例】
【００１８】  以下各図面を引用して本考案の実施例を説明する。【００１９】  電圧印加装置（１）は施術者の手を通じて被施術者の施術部位に電流を流すために適合させて利用できる。この場合、第１電極は被施術者の体の一部に接触させて使用される。また、第２電極は裸足状態の施術者の足の裏に踏まれて使用される。なお、上記素足状態には、施術者が素足の場合だけでなく、素足に導電性靴下を着用することにより、素足と一緒に、足裏を通じて電気を流すことができる状態も含まれる。【００２０】  上記電圧印加装置において、電圧発生部（２）は、具体的には、入力される交流電圧を複数の交流電圧にて降壓可能で、降壓した一つの交流電圧を第１出力端子（２１）及び第２出力端子（２２）よりも出力できるように構成することができる。この場合には、出力がそれぞれ違う各交流電圧に基づく各電流を、施術者の手を通じて被施術者の施術部位に流せることが可能になる。因みに、電圧発生部は、入力される交流電圧を１回または多段階で所定の交流電圧に降壓することができる。【００２１】  上記電圧印加装置において、複数の接続手段（ケーブル）の各電気抵抗値はほぼ同一だということが望ましい。この場合には、複数が直列、並列／直列に配置構成された各第２電極のうち、どの第２電極が施術者によって踏まれた場合でも、同じ施術者によって、同じ条件で、第２電極が踏まれる限り、被施術者について同様に電流を流れるようにすることが容易になる。【００２２】  上記電圧認可装置において、複数の各接続手段である各ケーブルの材質、各ケーブル長、および、各ケーブル導体径はほぼ同一だということが望ましいが、これに限られない、電極が直列に構成されている場合、後に構成される電極の電気伝導度が段々高まるようにする。上記の伝導度に影響を与えるのは、連結手段の材質、長さ、面積または／及び電極の材質、面積になることがあり、これに限定されない、【００２３】  電極が直列に構成されている場合、電圧発生部を基準にて後段に接続になる電極であるほど電気伝導度がさらに大きくするようにし、例えば、電極が直列に構成されている場合、上記第３電極に直列に接続される後段の電極の電気伝導度が上記第３電極の伝導度よりもっと大きくする。
従って、すべての電極での出力値が等しくなるようにすることができる。【００２４】上記伝導度を大きくするため、伝導率がさらに優れた材料や素材を使用することもできるのだ。【００２５】  上記電圧印加装置において、第２電極の数については、具体的には、３〜８個の範囲内にすることができる。第２電極の数は望ましくは、３個以上、より望ましくは４個以上とすることができる。この場合には、ベッド上に横になった被施術者の周りを及ばない所ないように第２電極を配置しやすくなる。それによって施術者が各第２電極間を移動しやすくなって、施術者が安定した姿勢を支持しやすい位置をより多く確保できるようになる。また、第２電極の数は望ましくは、７つ以下、より望ましくは、６個以下にすることができる。第２電極の数がとても多いと、電圧印加装置の製造費用や第２電極の排設に時間がかかる。第２電極の数の上限が上述の範囲内であれば、上記問題が生じることを抑制しやすくなる。【００２６】  上記電圧印加装置において、電圧発生部は、入力される交流電圧の周波数を、入力される交流電圧の周波数よりも低い周波数に変換するための変調回路を持つことができる。この場合には、入力される交流電圧の周波数とは違う。例えば、人体によって適した周波数を持つ交流電圧を出力することが可能に成れる。【００２７】この場合には、変調回路を持たない場合に比べて、出力される交流電圧の周波数の幅を拡大することができる。したがって、この場合には、さらに施術の自由度が高い電圧印加装置を得ることができる。【００２８】上記電圧認可装置において、電圧発生部は少なくとも周波数５〜２０Ｈｚの交流電圧を出力できるように構成されていればいい。この場合には、波、あるいは波に近い周波数の交流電圧を出力することができる。この場合には、施術者は被施術者がよりリラックスした状態で施術を行うことができる。加えて、上記の周波数の交流電圧は、入力される交流電圧の周波数を上記変調回路を通じて変換することで、実現できる。【００２９】上記の周波数は望ましくは、６Ｈｚ以上、より望ましくは、６．５Ｈｚ以上、さらに望ましいには、７Ｈｚ以上とすることができる。また、上記の周波数は望ましくは、１８Ｈｚ以下、より望ましくは、１６Ｈｚ以下、さらに望ましいには、１４Ｈｚ以下、さらにより望ましくは、１３Ｈｚ以下にすることができる。【００３０】上記電圧認可装置において、第２電極はステンレス制にすることができる。
この場合には、電圧認可装置の使用時に第２電極にサビなどが生じにくい、また、電気伝導度が適当であるので、維持保守性が優秀で、上述した施術に使用する容易な電圧認可装置を得ることができる。【００３１】また、施術者の施術の利便性のために床に置かれる複数の導電性板を具備し、導電性板は金属、カーボンゴム、電磁波防止布など電気伝導度が高い材質で行われ、直列に接続される電極の場合、後段に構成される電極の伝導度がもっといいようにすることで、出力が同一になるようにすることができる。【００３２】なお、上述の各構成は、上述した各作用効果などを得るために必要性によって任意に組み合わせることができる。【００３３】以下、本考案の実施例の電圧認可装置について、図面を利用して説明する。
なお、同一の部材については同一の符号を利用して説明する。【００３４】図１ａ／１ｂは、本考案の電圧認可装置の概略の構成を示すブロック図で、図２は、上記図１ａ／１ｂの電圧認可装置での電圧発生部の概略の構成を示すブロック図で、図３は、上記図２での変調回路の詳細構成を示すの回路図で、図４は上記図１ａ／１ｂの電圧認可装置の使用形態の一つの例を示す図面で、図５は、上記図１ａ／１ｂの電圧認可装置の使用形態の一つの例を示す他の図面だ。【００３５】上記図１ａ／１ｂ〜図５に示すように、本実施例の電圧認可装置（１）は、入力されている交流電圧を強圧可能で、強圧する交流電圧を出力するための１出力端子（２１）と第２出力端子（２２）を具備する電圧発生部（２）と第１出力端子（２１）に電気的に接続された第１接続手段（ケーブル）（３）と第１ケーブル（３）の先端部に電気的に接続された第１電極（４）と、第２出力端子（２２）に電気的に接続された第２接続手段（ケーブル）（５）と、上記第２ケーブル（５）の先端部に接続された第２電極（５５）と、上記第２電極に電気的に接続された第３連結手段（６）、上記第３連結手段の先端部に電気的に接続され、上記第２電極と直列接続された第３電極（６６）と、上記第３電極と接続される第４接続手段（７）と直列的に接続される電極（７７）が構成される。また、図面に現れたとおり、上記で説明したような配置で第５、６接続手段（８、９）及び第５、６電極（８８、９９）を含む。【００３６】上記事項はだたひとつの例で他の例として電極を直列に追加的に構成可能であり、さらに、他の実施例では中間から図１ｂと一緒に分岐して、電極を配置することもできるのだ。【００３７】また、図１ｂに示すように、入力される交流電圧を強圧可能で、強圧になった交流電圧を出力するための第１出力端子（２１）と第２出力端子（２２）を具備する電圧発生部（２）；上記第１出力端子に電気的に接続された第１接続手段（ケーブル）（３）；上記第１接続手段の先端部に電気的に接続された第１電極（４）；上記第２出力端子に電気的に接続された第２連結手段（５）；上記第２連結手段の先端部に電気的に接続された第２電極（５５５）；上記第２電極に電気的に接続された第３連結手段（６１）；上記第３連結手段の先端部に電気的に接続になる第３電極（６１６）；上記第２電極に電気的に接続された第４連結手段（６２）；および上記第４連結手段の先端部に電気的に接続される第４電極（６２６）；を含み、上記第３電極や上記第４電極は上記第２電極を基準に並列状態で構成されて接続される。  さらに、上記第３電極や上記第４電極それぞれに直列的に接続されるそれぞれの電極（７１７，７２７）；をもっと含む。【００３８】以下、詳細に説明する。【００３９】見た例において、人体に電圧を印加する装置として、図１ａ／１ｂと同じく配列された電極の構造で、図４または図５に現れたように、施術者Ｓの手Ｓ１を通じて被施術者Ｃの施術部位に電流を流すために利用される。なお、図４、図５では、便宜上電圧認可装置の一部分のみが記載されている。【００４０】具体的には、例えば、被施術者Ｃは、伏せ、または仰向けの状態でベッ９１上で横になって施術者Ｓによる施術を受けられ���。第１電極４は被施術者Ｃの体の一部に接続させて使用される。本例では、第１電極４は横になった被施術者Ｃのお腹Ｃ１に接続させて使用される。第１電極４は金属製の布のマット上に形成されて行われる。第１電極４の大きさは縦１５０ｍｍ縦２５０ｍｍだ。【００４１】一方、第２電極（５５，５５５）は、素足状態の施術者Ｓの足の裏Ｓ２によって踏んでいる状態で使用される。本例では、上記第２電極と直列に接続されている複数の電極と、上記第２電極を基準に並列で構成されている電極は度４に現れたように、被施術者Ｃを囲むようにベッド９１の周辺に配置されて一つの側面が床面に露出するように床９２に埋設されている。【００４２】本例において、電圧発生部２は具体的には、交流電源２３より入力される交流電圧を強圧するための回路部２４を持っている。回路部２４は電源部２４１とトランス部と２４２と抵抗部部２４３と変換スイッチ部２４４を持っている。なお、  本例では、交流電源２３は家庭用の交流１００Ｖ（５０／６０Ｈｚ）だ。また、本例回路部２４は変調回路２４５を持っている。【００４３】全員部２４１は外部の交流電源２３に接続するためのコンセント２４１ｂと電源スイッチ２４１ａを持っている。上記の交流電源２３に電気的に接続されて電源スイッチ２４１ａがＯＮことで、電源部２４１に交流１００Ｖ（５０／６０Ｈｚ）の交流電圧が入力される。【００４４】トランス部２４２の一次側は電源部２４１に接続されて一次側に入力された
上記  交【００４５】類電圧を複数の交流電圧で強圧して、２次側からの出力可能に構成されている。抵抗部２４３はトランス部２４２の２次側に接続されている。本例では、具体的には、抵抗部２４３は第１電気抵抗２４３ａ、第２電気抵抗２４３ｂ、第３電気抵抗２４３ｃ、および、第４電気抵抗２４３ｄを持っている。なお、抵抗部２４３は約１００オウムほどとなっており、後述する変換スイッチ部２４４による変換時の短絡を防止する役割などがある。本例では、上記の構成によって、入力された交流電圧が、３６Ｖ、５５Ｖ、７２Ｖ、９０Ｖの４段階の交流電圧に強制されるようになっている。【００４６】  抵抗部２４３の下側単部は変換スイッチ部２４４に接続されている。変換スイッチ部２４４は、具体的には、２回路４接点のロータリースイッチだ。本例での電圧発生部２は変換スイッチ部２４４の変換操作によって、上述した４段階の交流電圧からいずれかの交流電圧を選択可能になって４段階の強弱が異なる交流電流を流れることが可能である。なお、変換スイッチ部２４４は都市していない出力のインジケータ用の回路に接続されている。本例では、変換スイッチ部２４４によって選ばれた出力電圧を示すために、各出力電圧によって異なる色で点灯するＬＥＤランプを４つ持っている。なお、このＬＥＤランプは停留された直流電流によって点灯するように構成されている。
見た例において、電圧発生部２は具体的には、交流電源２３より入力される交流電圧を強圧するための回路部２４を持っている。回路部２４は全員部２４１とトランス部２４２と抵抗部２４３と変換スイッチ部２４４を持っている。
なお、本例では、交流電源２３は家庭用の交流１００Ｖ（５０／６０Ｈｚ）だ。また、本例回路部２４は変調回路２４５を持っている。【００４７】見た例での電圧発生部２は、上記入力される交流電圧の周波数を、当該入力される交流電圧の周波数よりも低い周波数に変換するための変調回路２４５を持つことができる。変調回路２４５は、具体的には、変換スイッチ部２４４の下流側単部に接続されている。変調回路２４５は、複数の電子リレー２４５ａ〜２４５ｄと各電子リレー２４５ａ〜２４５ｄの下側に接続されて抵抗価値がそれぞれ他の各電気抵抗２４６ａ〜２４６ｄを備えた変調部２４５Ａとオペレーションアンプ２４５Ｂとマイクロコンピューター部２４５Ｃを持っている。オペレーションアンプ２４５Ｂは変換スイッチ部２４４によって選ばれた所定の交流電圧の波形のゼロ点から電子リレー２４５ａ〜２４５ｄの変換を遂行するために、マイクロコンピューター部２４５Ｃに安全に交流電圧を入力する役割を持っている。【００４８】上記マイクロコンピューター部２４５Ｃはオペレーション・アンプ２４５Ｂより交流電圧に基づいて、電子リレー２４５ａ〜２４５ｄの変換のタイミングを制御する。本例では、電圧発生部２は、上記変調回路２４５を持つことで、、周波数が７〜１４Ｈｚの  範囲内にある交流電圧を、第１出力端子２１及び第２出力端子２２を通して出力可能である。【００４９】本例では、変換スイッチ部２４４と変調回路２４５の間に、保護回路部２４６が設置されているため設定を超過する過電流が人体に流れることを防止可能になっている。保護回路部２４６は具体的には、５０００オウムほどの電気抵抗を持つ表示灯を具備しており、最大２０ｍＡの電流で保護機能が働くように構成されている。【００５０】本例において、複数の接続手段はベッド９１下の床面領域のおよそ中央部における床９２内に配置されている。【００５１】次に、本例の電圧認可装置の操作方法の一例について説明する。【００５２】上記図１ａ／１ｂの配列電極に基づき、図２、４、５位での電極が受ける対９１上に被施術者Ｃがうつぶせの状態で横になることにより、被施術者Ｃの下部Ｃ１と  第１電極４を接触させる。その次に、交流電源２３に接続された電圧発生部２の電源スイッチ２４１ａをＯＮにして、変換スイッチ部２４４を回して希望の出力電圧に設定する。【００５３】その次に、施術用のジェルが任意で塗られた被施術者Ｃの施術部位に、施術者Ｓが手を乗せる。その次に、裸足の状態の施術者Ｓがゆっくりと足の裏Ｓ２、例えば、かかと部分で、施術部位に近い位置に配置された個々の電極を踏みはじめている。これにより、電圧認可装置１、施術者Ｓ及被施術Ｃによって一つの閉回路が構成されて施術者Ｓの手Ｓ１を通じて、被施術者Ｃの施術部位に所定の電流が流れる。【００５４】施術者Ｓは施術部位の範囲、体積などによって、各電極の踏み方法を変えることにより、被施術者Ｃに流れる電流の強弱を調節することができる。
例えば、足の裏Ｓ２と該当電極の接地面積、重量が大きくなると、流れる電流が大きくなり、足の裏Ｓ２と該当電極の接地面積、重量が小さくなると、流れる電流が小さくなる。【００５５】次に、本礼儀電圧認可装置の作用効果について説明する。【００５６】上記電圧認可装置も１ａ／１ｂ、４または／及び５によると、被施術者Ｃの体の一部に第１電極４を接触させることともに、複数の電極の中の一つを裸足の状態の施術者Ｓが足の裏Ｓ２で踏むことにより、電圧発生部２で出力された交流電圧に基づく電流を、施術者Ｓの手Ｓ１を通じて被施術者Ｃの施術部位に流れるようにすることができる。【００５７】ここで、本発明での電圧認可装置は第２出力端子２２に電気的に接続された第２ケーブル５の先端部に接続された電極または接続された各電極にそれぞれ電気的に接続される、【００５８】上記電圧認可装置によると、ベッド９１上に横になった被施術者Ｃの周辺を巡るように複数の電極を図１ａ／１ｂと同じ配列で床９２に配置することが可能となる。【００５９】これによって、施術者Ｓは被施術者Ｃの各施術部位に合わせて複数の第２電極の間を移動しながら施術することが可能となる。その結果、施術者Ｓは施術の時に無理な姿勢で施術部位に手Ｓ１をタッチする必要がなくなる。【００６０】施術者Ｓは安定した姿勢で施術することが可能となり、安定した姿勢でも電極の踏み方を変えることが可能となる。したがって、足を踏み入れる時の重量などを細かく調整することができる。だから、上記電圧認可装置１によると、施術者Ｓが足を使用して電流の調整をしやすく、施術の自由度を向上させることができる。【００６１】以上、本考案の実施例について詳細に説明したが、本考案は上記実施例に限定されるものではなく、本考案の趣旨を害さない範囲内でさまざまな変更が可能である。例えば、上記実施例では、電圧発生部が変調回路を持つ例を示したが、変調回路を省略することも可能である。
【産業上の利用可能性】
【符号の説明】
【００６２】１：電圧認可装置、
２：電圧発生部、
３：第１接続手段（ケーブル）
４：第１電極、
５：第２連結手段
【図１】
0003202779.tif 000003
【図２】
0003202779.tif 000004
【図３】
0003202779.tif 000005
【図４】
0003202779.tif 000006
【図５】
0003202779.tif 000007
【手続補正書】
【提出日】平成27年11月26日(2015.11.26)
【手続補正１】
【補正対象書類名】実用新案登録請求の範囲
【補正対象項目名】全文
【補正方法】変更
【補正の内容】
【実用新案登録請求の範囲】
【請求項１】
入力される交流電圧を降圧可能で、降圧する交流電圧を出力するために
第１出力端子と第２出力端子を具備する電圧発生部；
上記第１出力端子に電気的に接続された第１接続手段；
上記第１接続手段の先端部に電気的に接続された第１電極；
上記第２出力端子に電気的に接続された第２連結手段；
上記第２連結手段の先端部に電気的に接続された第２電極；
上記第２電極に電気的に接続された第３連結手段；や
上記第３連結手段の先端部に電気的に接続され、
上記第２電極と直列接続された第３電極；を含むことを特徴とする電圧印加装置。
【請求項２】
上記第３電極と直列的に接続される電極；をもっと包含することを特徴とする請求項１に記載の電圧印加装置。
【請求項３】
入力される交流電圧を降圧可能で、降圧する交流電圧を出力するために
第１出力端子と第２出力端子を具備する電圧発生部；
上記第１出力端子に電気的に接続された第１接続手段；
上記第１接続手段の先端部に電気的に接続された第１電極；
上記第２出力端子に電気的に接続された第２連結手段；
上記第２連結手段の先端部に電気的に接続された第２電極；
上記第２電極に電気的に接続された第３連結手段；
上記第３連結手段の先端部に電気的に接続される第３電極；
上記第２電極に電気的に接続された第４連結手段；や
上記第４連結手段の先端部に電気的に接続される第４電極；を
含み、上記第３電極や上記第４電極は上記第２電極を基準に並列状態で構成されることを特徴とする電圧印加装置。
【請求項４】
第３項において、上記第３電極や上記第４電極は、それぞれに直列的に接続されるそれぞれの電極；をもっと含むことを特徴とする請求項３に記載の電圧印加装置。
【請求項５】
第１項、２項又は４項において、電極が直列に構成されている場合、電圧発生部を基準に後段に接続される電極であるほど電気伝導度がさらに大きくすることを特徴とする請求項１、２または４に記載の電圧印加装置。
【請求項６】
第５項において、電極が直列に構成されている場合、上記第３電極に直列に接続される電極の電気伝導度が上記第３電極の伝導度よりさらに大きくすることを特徴とする請求項５に記載の電圧印加装置。